(57)【要約】【課題】  より利便性のあるユーザインタフェースを実現することができる情報表示装置及び情報表示方法を提供する。【解決手段】  映像および音声を出力するための出力元として二種類のシステムを内包する情報表示装置において、出力するこの映像および音声をこれらシステム間で切り替える切り替え手段と、前記音声の出力状況の判定を行う判定手段とを備え、この判定の結果に基づいてこの音声の前記出力元を前記システムのいずれかに選択する情報表示装置。【選択図】  図１
2013251764.tif 000002
【特許請求の範囲】
【請求項１】
映像および音声を出力するための出力元として二種類のシステムを内包する情報表示装置において、
出力するこの映像および音声をこれらシステム間で切り替える切り替え手段と、
前記音声の出力状況の判定を行う判定手段とを備え、
この判定の結果に基づいてこの音声の前記出力元を前記システムのいずれかに選択する情報表示装置。
【請求項２】
前記二種類のシステムとは、テレビシステムとコンピュータシステムである請求項１に記載の情報表示装置。
【請求項３】
前記テレビシステムから前記コンピュータシステムに前記映像および音声を切り替えて出力する際に、前記映像は即座に前記コンピュータシステムの映像を出力するが、前記音声は前記テレビシステムの音声を出力し続け、前記コンピュータシステムから音声が出力された後に、前記切り替え手段は出力される前記音声を前記コンピュータシステムの音声に切り替える請求項２に記載の情報表示装置。
【請求項４】
前記コンピュータシステムから出力された音声の時間長があらかじめ定めた閾値よりも短い場合、前記映像は前記コンピュータシステムの映像を出力するが、前記音声は前記コンピュータシステムの音声を出力後、前記テレビシステムの音声を出力するよう切り替える請求項３に記載の情報表示装置。
【請求項５】
前記音声の切り替え時に、フェードイン・フェードアウト効果を使って前記音声を切り替える請求項１に記載の情報表示装置。
【請求項６】
映像および音声を出力するための出力元として二種類のシステムを内包する情報表示装置における情報表示方法であって、
出力するこの映像および音声をこれらシステム間で切り替える切り替え工程と、
前記音声の出力状況の判定を行う判定工程とを含み、
この判定の結果に基づいてこの音声の前記出力元を前記システムのいずれかに選択する情報表示方法。
【発明の詳細な説明】
【技術分野】
【０００１】
本発明の実施形態は、音声の出力制御を行う情報表示装置及び情報表示方法に関する。
【背景技術】
【０００２】
従来のPC（パーソナル  コンピュータ）機能とTV（テレビジョン）機能が一体化した情報処理機器においては、例えばTV画面からPC画面に切り替える際に課題があった。
【０００３】
即ちユーザはテレビシステムとコンピュータシステムを切り替えながら本機器を使用するが、コンピュータシステムを使用している時でもテレビの放送内容を知りたいというユーザは多い。テレビを視聴しながらコンピュータシステムを使用する場合はPinP（Picture in Picture）やダブルウインドウ表示を使うが、コンピュータシステムの表示領域が狭くなるために使いづらい。結局、出力を全てコンピュータシステムに切り替えて使うことになるがテレビの映像、音声ともに視聴することができない。
【０００４】
一方で、テレビは各種作業の傍らで視聴する（ながら視聴）ユーザが多く、積極的にテレビを視聴していないときでも、音声だけは聞いているというユーザは多い。しかし、出力を全てコンピュータシステムに切り替えた場合、テレビの音声が全く出力されないのでながら視聴の要求を満たすことができない。このような点においてより利便性のあるユーザインタフェースへの要望がある。が、かかる要望を実現するための手段は知られていない。
【先行技術文献】
【特許文献】
【０００５】
【特許文献１】特開２０００−１４８１０８号公報
【発明の概要】
【発明が解決しようとする課題】
【０００６】
本発明の実施の形態は、より利便性のあるユーザインタフェースを実現することができる情報表示装置及び情報表示方法を提供することを目的とする。
【課題を解決するための手段】
【０００７】
上記課題を解決するために、実施形態によれば情報表示装置は、映像および音声を出力するための出力元として二種類のシステムを内包する情報表示装置であって、出力するこの映像および音声をこれらシステム間で切り替える切り替え手段と、前記音声の出力状況の判定を行う判定手段とを備え、この判定の結果に基づいてこの音声の前記出力元を前記システムのいずれかに選択する。
【図面の簡単な説明】
【０００８】
【図１】この発明の一実施形態を示す全体ブロック構成図。
【図２】同実施形態におけるリモートコントローラ（リモコン）の一例を示す、外観図および内部構成ブロック図。
【図３】同実施形態の音声制御のフロー図。
【図４】一実施形態にかかるシンク機器の映像処理装置とこれに接続されるソース機器の映像処理装置をもつ映像処理システムの一例を示す機能ブロック図。
【図５】一実施形態にかかる映像処理装置が有しているＨＤＭＩ（High-Definition Multimedia Interface）端子の信号名を示す説明図。
【図６】同実施の形態における信号伝送システムで伝送される拡張ＣＤＣ信号のフレーム構成の一例を説明するために示す図。
【図７】他の実施形態に用いられるブロック構成図。
【発明を実施するための形態】
【０００９】
以下、本発明の実施形態を説明する。本実施形態は、コンピュータシステムとテレビシステムの両方を持ち、それぞれの映像、音声出力が映像ミキサー、音声ミキサーを経由して外部に出力される際に、両システムからの音声出力を制御する機能を持つ機器及び制御方法である。機器の映像、音声の出力先は機器一体型のパネルとスピーカー・ヘッドフォンである構成（コンピュータ内蔵テレビ）でもよいし、HDMIなどの伝送ケーブルを通して外部機器に出力する構成（セットトップボックス）でもよく、本実施形態は出力先機器には限定されない。
【００１０】
（第１の実施形態）
第１の実施形態を図１乃至図６を参照して説明する。
【００１１】
＜一実施形態である映像処理システムの構成の一例＞
ソース機器３０等が示される、一実施形態である映像処理システムの構成の一例を図面を用いて説明する。先に図４は、実施形態にかかるシンク機器２０の映像処理装置とこれに接続されるソース機器３０の映像処理装置をもつ映像処理システムの一例を示すブロック図である。
【００１２】
一実施形態である映像処理システム１は、図４に示すように、ＨＤＭＩケーブル３０１で接続されたシンク機器２０とソース機器３０を有している。なお、ＨＤＭＩケーブル３０１は、映像音声信号の専用線３０２と、制御信号の専用線３０３をもっており、一例として、映像音声信号の専用線３０２は制御信号の専用線３０３より高速に通信を行なう。
【００１３】
シンク機器２０は、ソース機器３０からの映像音声情報を表示し出力するための機器であり、具体的には後述のテレビ（ＴＶ側基板）等である。ソース機器３０は、映像音声情報をシンク機器２０へ供給するための機器であり、一般的には、ＤＶＤプレーヤ等あるいは後述の（ＰＣ側基板）である。
【００１４】
シンク機器２０は、中央演算装置である制御部１３０を持ち、制御部１３０は、記憶部１３１と、ＥＤＩＤ変更部１１１−１を含むHDMI通信部１２１と、表示部１４１と、操作部１３２の制御を行う。記憶部１３１は、シンク機器２０自体の制御プログラムや音量・映像表示設定等（後述する）の各種設定情報を記憶する部分であり、具体的にはフラッシュメモリやハードディスクドライブ等である。
【００１５】
HDMI通信部１２１は、ソース機器３０からの映像・音声信号を受信するとともに、ソース機器３０を制御するためのコマンドを送信したり、ソース機器３０側からのコマンドを受信したりする部分である。具体的には、ＨＤＭＩ（High-Definition Multimedia Interface）や、有線ＬＡＮ（Local Area Network）、無線ＬＡＮ、Ｂｌｕｅｔｏｏｔｈ（登録商標）等である。テレビとしては他にＤ端子、S端子やコンポジット端子からの入力信号を受けるのも一般的である。ＨＤＭＩの場合は、制御コマンドの送受信にＣＥＣ（Consumer Electronics Control）ラインを用いる。
【００１６】
表示部１４１は、機器制御のためのメニュー画面やソース機器３０からの映像を表示したり音声再生を行う部分であり、具体的には、液晶パネルやスピーカ等である。
【００１７】
一方、ソース機器３０は、中央演算装置である制御部２３０を持ち、制御部２３０は、記憶部２３３、通信部２１１、操作部２３２の制御を行う。記憶部２３３は、ソース機器３０自体の制御プログラムや音量・映像表示設定等の各種設定情報を記憶したり、映像・音声信号を保持したりしている部分であり、具体的にはフラッシュメモリやハードディスクドライブ、ＤＶＤドライブ等である。
【００１８】
通信部２１１は、シンク機器２０へ映像・音声信号を送信するとともに、シンク機器２０を制御するためのコマンド（制御信号）を送信したり、シンク機器２０側からのコマンド（制御信号）を受信したりする部分である。ソース機器３０を制御するためのメニュー画面も、通信部２１１を経由した映像信号としてシンク機器２０へ送られる。シンク機器２０側のHDMI通信部１２１と接続可能なインタフェース規格で実装されている部分であり、具体的にはＨＤＭＩ、有線ＬＡＮ（Local Area Network）、無線ＬＡＮ、Ｂｌｕｅｔｏｏｔｈ（登録商標）等である。
【００１９】
周知のように、デジタル映像信号を伝送するための規格として、ＤＶＩ（digital visual interface）規格が普及している。そして、近年では、このＤＶＩ規格をさらに改良したデジタル信号伝送規格として、ＨＤＭＩ規格が採用されるようなってきている。
【００２０】
このＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（universal serial bus）ライクの小型のＨＤＭＩコネクタで接続することが可能であること等々、ＤＶＩ規格にない種々の規定が盛り込まれている。
【００２１】
また、ＨＤＭＩ規格では、信号の伝送に先立ち、送信側の機器と受信側の機器との間で認証を行なうことにより、送信側の機器が受信側の機器の性能に合わせた形態で信号を出力することができる。この場合、送信側の機器は、受信側の機器からＥＤＩＤ（extended display identification data）を取得することにより、受信側の機器の受信仕様を認識し、それに合わせた形態で信号を出力している。
【００２２】
図５は、本発明の一実施形態にかかる映像処理装置が有しているＨＤＭＩ端子の信号名を示す説明図である。
【００２３】
HDMI通信部１２１，２１１がＨＤＭＩである場合、ＨＤＭＩ端子は、図５に示すようなコネクタピン配列を有している。特に１３ピンのＣＥＣ信号によって、ＨＤＭＩ−ＣＥＣプロトコルに準拠して定義されたコマンドを送受信することで、相手機器の制御が可能となる。
【００２４】
図６は、実施形態における信号伝送システムで伝送される拡張ＣＤＣ信号のフレーム構成の一例を説明するために示す図である。
【００２５】
図６の例では、従前のＣＤＣと互換性のあるフレーム構成となっている。すなわち、第２ブロックの、CEC Opcode  Blockの値が（0xFC）の場合に、拡張メッセージとしている。第５ブロックのExtend CDC Opcode に、伝送機能を問い合わせるメッセージ、伝送機能の種類を示す応答メッセージ、ポーリングメッセージ等の伝送機能の切り替えに必要となるメッセージを規定し、その後のExtend CDC Parametersに、各メッセージに必要なパラメータを規定している。また、他の信号伝送の制御に関するメッセージも、Extend CDC Opcode で規定している。
【００２６】
＜一実施形態である映像処理システムの具体的な一例＞
次に、上述した映像処理システムの具体的な一例を図面を用いて以下に紹介する。図1は、本実施形態に関する情報表示装置１の構成を示す全体ブロック構成図である。上述した映像処理システムは、この情報表示装置１上に成り、ＨＤＭＩを中心にした機能ブロックを説明するものである。
【００２７】
まず全体構成の説明として、情報表示装置１は、主にTV放送を視聴するためのTV側基板２０とインターネットを使用するなどのためのPC側基板３０から構成される。PC側基板３０として実装されるコンピュータシステムとTV側基板として実装されるテレビシステムはHDMIなどの映像、音声を伝送できる信号線で接続されており、ユーザがテレビのHDMI入力を選択するとコンピュータシステムの映像が出力される。映像、音声はテレビ側の映像、音声ミキサーで制御され、後に説明する図３で示したフローにしたがい出力される音声データが決定される。
【００２８】
コンピュータシステムはPC側基板３０を制御するCPU１０４、RAM１０１、インターネットから取得した動画等を記録する記録装置１０３、サウンド処理を行うオーディオ処理部１０２、グラフィック処理を行うグラフィック処理部１０５、PC側基板３０からの出力を制御する出力インタフェース１０６からなる。
【００２９】
このコンピュータシステムで稼働するソフトウェアはパーソナルコンピュータで使われる汎用OSでもよいし、携帯電話などで使われるOSでもよい。
【００３０】
またテレビシステムはTV側基板２０を制御するTV SoC（System on Chip）１１４、RAM１１１、記録装置、電波を受信するチューナー１１２、PC側基板３０からの或いはリモコン２からの入力を処理する入力IF１１３、出力インタフェース１１６等からなる。TV SoC１１４はチューナ１１２で受信した情報から再生可能な映像、音声データを生成し、ビデオのミキシングを行う映像（ビデオ）ミキサー１１７、オーディオのミキシングを行う音声（オーディオ）ミキサー１１８に渡される。
【００３１】
その後映像、音声出力は、出力インタフェース１１６を通じて、LCD４０に渡される。
【００３２】
PC側基板３０の出力IF１０６とTV側基板２０の入力IF１１３は、HDMI６０接続されており基板間の通信は、各々のCPU１０４、TV SoC１１４間で行われる。
【００３３】
この、HDMI６０は、複数のHDMI（例えば、HDMI１（TV側基板２０向け）、HDMI２、HDMI３）を含むものであってもよい。
【００３４】
HDMI通信部１２１は、入力IF１１３に依る。制御部１３０は、TV SoC１１４に依る。記憶部１３１は、RAM１１１に依る。指示手段の一つの主要部である操作部１３２は、入力IF１１３に依る。表示手段である表示部１４１は、グラフィック部１０５、出力IF１１６とLCD４０に依る。
【００３５】
またHDMI通信部２１１は、出力IF１０６に依る。制御部２３０は、CPU１０４に依る。記憶部２３３は、RAM１０１に依る。指示手段のもう一つの主要部である操作部２３２は、入力IF１１３に依りTV側基板２０からの図示せぬ信号によりPC側基板３０が制御されてなる。操作部１３２は、図示せぬキーボードなどの手段を用いることもできる。
【００３６】
図2は、本情報表示装置１専用のリモートコントローラ２である。従来のTVを制御するボタンに加えてTV画面からPC画面へ簡単に切り替えることのできるPCボタン２１ａ（PC画面用の専用ボタン）がオプションとして付いている。
【００３７】
まず図2（ａ）について説明する。リモートコントローラ２は複数の操作スイッチ（キー）を有しており、この操作スイッチが押下されると、これに応じて情報表示装置１の操作を行うための信号を送信する機能を有している。信号の形式は、例えば、ＲＦ(Radio Frequency)信号やＩＲ（Infrared）信号を用いるのが一般的であるが、本実施形態では有線、無線の区別を問わない。
【００３８】
映像処理システムは情報表示装置１とリモートコントローラ２等より構成されており、ユーザはリモートコントローラ２を用いて情報表示装置１を操作して所定の処理を行わせ、画像を表示させることができる。
【００３９】
次にリモートコントローラ２の詳細な構造を説明する。図２（ａ）は本実施形態におけるリモートコントローラ２の一例を示す外観図である。
【００４０】
リモートコントローラ２０は情報表示装置１の各種機能を操作するための複数のキー（スイッチ）を有している。本実施形態において、この複数のキーはキー２１、タッチパッド２２、十字キー２３およびPCボタン２１ａによって構成されている。
【００４１】
キー２１は情報表示装置１の各種機能を実行するために設けられたキーであって、リモートコントローラ２はそれぞれのキーへのユーザの押下操作に応じて異なる操作信号を発信する。キー２１には情報表示装置１の電源投入と遮断とを切り替える電源キーと、表示する映像情報のソースを切り替える入力切替キー、ゲーム、地デジ、ＢＳ又はＣＳを選択するキーを備えた入力切替キー群と、チャンネルの選択や文字の入力等を行うチャンネル文字キー群、チャンネルの切り替えを行うチャンネル切替キーと、画面の表示形式を選択する画面表示キー、音量を調整する音量調整キー、各種情報表示装置１の機能を実現させるための色が割り当てられたカラーキー等の様々なキーが含まれている。また、情報表示装置１に表示されたカーソルの所定の位置での選択操作を行うための決定キーもこれに含まれる。本実施形態の説明においては便宜上これらのキーをPCボタン２１ａを含め一纏めのキー２１として説明し、タッチパッド２２及び十字キー２３をこのキー２１とは分けて説明する。
【００４２】
タッチパッド２２は、例えばユーザの指等によるタッチパッド２２表面への接触を静電容量の変化で検知し、この検知点を示す検知信号を出力する機能を有している。このタッチパッド２２の表面を指でなぞることによって、ユーザは情報表示装置１に表示されたカーソルの操作を行うことが可能である。
【００４３】
十字キー２３は、リモートコントローラ２０内部の、タッチパッド２２の裏面に対向に位置に設けられており、ユーザに押下されたタッチパッド２２の裏面が接触することで、この押圧を検知して検知信号を出力する。十字キー２３は図５中のポイントＡのリモートコントローラ２内部に当たる位置に上下左右が割り当てられて４つ設けられている。この4つのスイッチから構成される十字キー２３は、それぞれの上下左右の方向を示す信号を出力する。
【００４４】
本実施形態において、リモートコントローラ２０はタッチパッド２２と十字キー２３とが一体として設けられている（タッチパッド２２が十字キー２３と兼用されている）。十字キー２３が押下される際にはユーザの指はタッチパッド２２に接触しており、このときにはタッチパッド２２と十字キー２３はそれぞれ検知信号を出力することとなる。
【００４５】
本実施形態におけるリモートコントローラ２０ではタッチパッド２２と十字キー２３とが外部から見て同じ位置に設けられているように例示したがこれに限定されず、異なった位置に独立してそれぞれが設けられていてもよい。
【００４６】
次にリモートコントローラ２の内部構成について説明する。図２（ｂ）は本実施形態におけるリモートコントローラ２の内部構成の一例を示すブロック図である。
【００４７】
キー２１、タッチパッド２２、及び十字キー２３より出力される検知信号は、リモコン制御部２４に入力される。リモコン制御部２４は入力された信号に基づいて、情報表示装置１を操作するための操作信号を生成し、送信部２５によって外部に送信させる。この送信された操作信号を受信部１１８が受信すると情報表示装置１はこの操作信号に応じた所定の処理を実行する。
【００４８】
本実施形態においては、キー２１の押下によってリモートコントローラ２から送信される信号をキー操作信号、タッチパッド２２をなぞることによって送信される信号をタッチパッド操作信号、十字キー２３を押下することによって送信される信号を十字キー操作信号と呼ぶこととする。PCボタン２１ａから送信される信号は、前述に基づきキー操作信号に含まれるが、以下で区別して表現する場合はPCボタン操作信号とよぶ。
【００４９】
ところで一般に映像ミキサー、音声ミキサーは最終的にコンピュータシステムからの映像、音声出力と、テレビシステムからの映像、音声出力を受け取り、どちらか片方のみ、または、ミキシングして両方を出力する。コンピュータシステム、テレビシステムの映像を重ねて両方を出力するとき特に包含関係にあるときはPinP（Picture in Picture）と呼ばれ、重ねずに並べて表示するときはダブルウインドウ表示と呼ばれる。本実施形態は映像の表示方法に限定されない。
【００５０】
音声ミキサーはコンピュータシステム、テレビシステムから受け取った音声データを選択し、どちらかを出力する。コンピュータシステムからの音声とテレビシステムからの音声をユーザの違和感なく切り替えるために、両者の音声をミキシングして段階的に音量を変化させるクロスフェード効果を与えることもできる。
【００５１】
映像ミキサー、と音声ミキサーから出力される映像、音声信号は機器に備え付けられたLCDパネルやスピーカー・ヘッドフォンから出力される。または、HDMIなどの伝送ケーブルで接続された外部のTVなどの機器から出力される。映像、音声の出力形態は本実施形態の範囲外であり、この方式に限定されない。
【００５２】
本実施形態は、音声ミキサーの制御方法に関するものである。コンピュータシステムは一般的に、音楽再生や映像再生をしていない限り、音声を出力しないという特徴がある。対して、テレビシステムは放送波を受信している限り音声を出力しているという特徴がある。
【００５３】
（課題の解決方法）
テレビシステムからコンピュータシステムに情報表示装置の出力を切り替えた場合、映像はコンピュータシステムの映像出力を使うが、音声はテレビシステムの音声出力を使う。すなわち、テレビシステムからコンピュータシステムに映像を切り替えた後も、機器からはテレビシステムの音声を継続して出力を続ける。
【００５４】
コンピュータシステムの音声の出力を始めるタイミングは、コンピュータシステムから実際に音声が出力された時である。コンピュータシステムの使用時は、前述のとおり音声が出力されないことが多い。そのため、コンピュータシステムから音声が出力されるまでテレビシステムの音声を出力することで、ユーザは不利益を被ることなくテレビをながら視聴することが可能となる。
【００５５】
コンピュータシステムからの音声の出力は、効果音など“一時的に”出力する場合とアプリケーションが“恒常的”に出力する場合に分けられる。
【００５６】
一時的な出力としては、ユーザにフィードバックするための短い効果音が挙げられる。例えばメールを受信したときの通知音や、不正な操作をしたときの警告音である。このような効果音を再生することは必要であるが、ユーザは効果音の再生後に恒常的にコンピュータシステムから音声を出力することを意図していない。一時的な音声で、音声ミキサーの入力元を完全にコンピュータシステムに切り替えると、テレビの音声が数秒の効果音のために聞こえなくなってしまうため、効果音の再生が終わったら再度テレビシステムの音声を出力することが望ましい。方法としては、コンピュータシステムから効果音の音声データが出力され、音声ミキサーに入力があった時間長と、コンピュータシステムから音声データの出力が終わった後の音声ミキサーに入力がなかった時間長を、それぞれあらかじめ定めた閾値１，２と比較して、音声入力があった時間長が閾値１よりも短く、その後の音声入力がなかった時間長が閾値２よりも長ければ、音声ミキサーの出力元をテレビシステムに戻すという方法の構成が挙げられる。
【００５７】
ここで例えば、閾値1はコンピュータの一時的な音声出力の時間長の最大値であり、3秒程度が適当である。閾値2は一時的な音声出力の間隔であり、5秒程度が適当である。コンピュータからの音声出力の間隔が閾値2よりも短い場合は、一時的な出力が断続的に行われていると判定し、テレビの音声出力に切り替えないよう構成する。
【００５８】
恒常的に音声を出力するアプリケーションとしては、音楽再生アプリケーション、ビデオ再生アプリケーション、通話アプリケーション、ゲームなどが挙げられる。これらのアプリケーションが使用された場合、ユーザは継続的にコンピュータシステムから音声を出力させるという意図を持っていると考えられる。この場合、音声ミキサーはコンピュータシステムからの音を出力するように制御し、以降、テレビシステムの音声出力は行わない。恒常的に音声を出力するかどうかを判定する方法としては、コンピュータシステムから音声が出力された時間長を計測し、あらかじめ定めた閾値1とその時間長を比較する方法や、恒常的に音声を出力するアプリケーションをあらかじめ登録しておいて起動されたアプリケーションと比較する方法が挙げられる。
【００５９】
図３を用いて、これらの音声制御のフローの説明をする。
【００６０】
テレビシステムの映像と音声が出力されているときに、ユーザから、テレビからコンピュータに出力を切り替える指示を受け取る(ステップＳ301）。
【００６１】
映像ミキサー１１７は、テレビシステムからの出力を中断し、コンピュータシステムからの出力をLCDパネル等の外部に出力するよう切り替える(ステップＳ302）。
【００６２】
音声ミキサー１１８は、コンピュータシステムからの出力に切り替えることなく、テレビシステムからの出力を継続する(ステップＳ303）。
【００６３】
コンピュータシステムからの音声出力があった場合(ステップＳ304）、音声ミキサー１１８はコンピュータシステムからの音声を出力するように切り替える(ステップＳ305）。同時に、TV SoC１１４はコンピュータシステムからの音声出力の時間長を計測し始める。
【００６４】
コンピュータシステムからの出力が終了した場合(ステップＳ306のYes）、TV SoC１１４は計測したコンピュータシステムからの音声出力の時間長と閾値1とを比較する(ステップＳ307）。ここで閾値1よりも長かった場合（No）、TV SoC１１４はコンピュータからの恒常的な出力が続くと判定し、コンピュータシステムからの出力を継続する（END）。また閾値1よりも短かった場合（Yes）、TV SoC１１４はコンピュータシステムからの音声出力が終わった後の継続時間（無音声時間長）を計測する。無音声時間長が閾値2よりも長い場合(ステップＳ308のYes）、TV SoC１１４は一時的なコンピュータからの音声出力は終了したと判定し、テレビシステムからの音声に切り替える(ステップＳ303へ戻る）。無音声時間長が閾値2よりも短い場合(ステップＳ308のNo）、すなわち、再度コンピュータから音声が出力された場合、TV SoC１１４は一時的なコンピュータからの音声出力が終了していないと判定し、コンピュータからの音声を出力する(ステップＳ305）。さらに、TV SoC１１４は判定プロセスを継続する。
【００６５】
コンピュータシステムからテレビシステムに切り替える時はTV SoC１１４は制御を行わず、映像、音声の両方をテレビシステムのものに切り替える。
【００６６】
起動時は、TV SoC１１４は最初に選択されているシステムの映像、音声を出力する。すなわち、起動時がコンピュータシステムであっても、音声の制御は行わない。
【００６７】
（第２の実施形態）
本発明による第２の実施形態を図２乃至図７を参照して説明する。実施形態１と共通する部分は説明を省略する。
【００６８】
実施形態１では映像ミキサー１１７、音声ミキサー１１８はコンピュータシステム、テレビシステムに内蔵されているが、どちらかのシステムから独立していてもよい。図７にテレビシステムに外部接続の映像ミキサー、音声ミキサーを使う構成を示す。
【００６９】
PC側基板７３０では、コンピュータシステムの映像、音声出力は、出力インタフェース７０６を通じて映像ミキサー、音声ミキサーに渡される。またTV側基板７２０では、テレビシステムの映像、音声出力は、出力インタフェース７１６を通じて映像ミキサー、音声ミキサーに渡される。
【００７０】
また入力IF７１３はHDMI以外の図示せぬインタフェースを用いてPC側基板７３０と交信してもよい。例えばＩ２Ｃ（Inter-Integrated Circuit、アイ・スクエアド・シー）などである。
【００７１】
テレビ視聴中のユーザは、実際にテレビを見ていなくても音だけを流して聞いていて、興味がある情報を聞くとテレビを見始める、という行動をとることが多い。
【００７２】
上記のようにユーザがコンピュータを使い始める際、画面をコンピュータに切り替えても、テレビの音を流し続けていれば、ユーザはテレビの情報を継続して取得することができる。そのため、興味のあるテレビの場面に差し掛かると、ユーザは気づくことができ、テレビを視聴することができる。
【００７３】
コンピュータから音声が出力された場合に自動で音声の出力をコンピュータに切り替えるために、ユーザの手間を省くことができる。
【００７４】
メール受信の通知音や、警告音など、一時的な音を出力する必要がある場合、コンピュータからの音を鳴らした後、テレビからの音声出力に戻ることで、ユーザはコンピュータからの通知を知ることができる上、手間なくテレビの音も継続して聞くことができる。
【００７５】
ゲーム、映像再生やIP電話など、コンピュータから恒常的に音声が出力されるアプリを使った場合はコンピュータの音声の出力を継続することでユーザは目的の音声情報を取得することができる。
【００７６】
（実施形態の補足：特徴）
（１）映像および音声を出力する二種類のシステムを内包する装置において、装置から出力する映像および音声を内包するシステム間で切り替える場合、映像は即座に切り替えるが、音声は内包するシステムの音声出力状況によって、出力元を選択することを特徴とする情報表示装置。
【００７７】
（２）二種類のシステムとは、テレビシステムとコンピュータシステムである（１）の情報表示装置。
【００７８】
（３）テレビシステムからコンピュータシステムに映像および音声を切り替えて装置から出力する際に、映像は即座にコンピュータシステムの映像を出力するが、音声はテレビシステムの音声を出力し続け、コンピュータシステムから音声が出力されて初めて、装置から出力される音声をコンピュータシステムの音声に切り替えることを特徴とする（２）の情報表示装置。
【００７９】
（４）コンピュータシステムから出力された音声の時間長があらかじめ定めた閾値よりも短い場合、映像はコンピュータシステムの映像を出力するが、音声はコンピュータシステムの音声を出力後、テレビシステムの音声を出力するよう切り替えることを特徴とする３の情報表示装置。
【００８０】
（５）音の切り替え時に、フェードイン・フェードアウト効果を使い、ユーザに違和感なく音を切り替えることを特徴とする（４）の情報表示装置。
【００８１】
なお、この発明は上記実施形態に限定されるものではなく、この外その要旨を逸脱しない範囲で種々変形して実施することができる。
【００８２】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００８３】
１…情報表示装置、２…リモートコントローラ、２０…シンク機器、２１…キー、２１ａ…PCボタン、２２…タッチパッド、２３…十字キー、２４…リモコン制御部、２５…発信部、３０…ソース機器、１２１…通信部、１３０…制御部、１３１…記憶部、１４１…音声映像出力部、３０…ソース機器、２１１…通信部、２３０…制御部、２３３…記憶部。
【図１】
2013251764.tif 000003
【図２】
2013251764.tif 000004
【図３】
2013251764.tif 000005
【図４】
2013251764.tif 000006
【図５】
2013251764.tif 000007
【図６】
2013251764.tif 000008
【図７】
2013251764.tif 000009